(57)【要約】【課題】比較的簡単に成形でき、被取付部材の取付穴は一般的な長穴でも確実に支柱の回転を防止できる、軽量化に適した錨脚型保持具を提供する。【解決手段】錨脚型保持具１は、基部７と基部から垂下する支柱９と支柱の先端側から基部に向けて弾性の一対の係止脚１０とから成り、支柱９は、被取付部材３に取付けられた状態にあるときに取付穴５に対応する部分の横断面が、取付穴の対向する２辺の縁部に所定長さに沿って接触する一対の接触面１７Ａ、１７Ｂを形成する第１部分１８と、第１部分の中央から接触面と反対方向に延びて取付穴の他の縁部に接触するように延びる第２部分２１とから形成されている。【選択図】図５
2010084793.tif 000002
【特許請求の範囲】
【請求項１】
基部と該基部から垂下する支柱と該支柱の先端側から前記基部に向けて且つ該基部に近づくにつれて前記支柱から離れるように延びる弾性の一対の係止脚とから成り、被取付部材の取付穴に前記支柱及び前記係止脚を挿入して該取付穴を貫通した前記係止脚の先端と前記基部とによって前記被取付部材を挟持することで該被取付部材に取付けられる、錨脚型保持具であって、
前記支柱は、前記被取付部材に取付けられた状態にあるときに前記取付穴に対応する部分の横断面が、前記取付穴の対向する２辺の縁部に所定長さに沿って接触する一対の接触面を形成する第１部分と、該第１部分の中央から前記接触面と反対方向に延びて前記取付穴の他の縁部に接触するように延びる第２部分とから形成されている、
ことを特徴とする錨脚型保持具。
【請求項２】
請求項１に記載の錨脚型保持具において、前記被取付部材の前記取付穴がほぼ長方形の長穴に形成されており、前記支柱の前記第１部分は、前記長穴の対向する２つの長辺に接触する一対の平行な板状部で成る、ことを特徴とする錨脚型保持具。
【請求項３】
請求項２に記載の錨脚型保持具において、前記支柱の前記第１部分は、前記一対の平行な板状部と、該支柱の横断面においてほぼＵ字形状を形成するように前記板状部を連結する軸柱とから成り、該軸柱は、前記支柱の長手方向において前記基部から該支柱の先端まで延びている、ことを特徴とする錨脚型保持具。
【請求項４】
請求項３に記載の錨脚型保持具において、前記軸柱と前記板状部とから成る前記第１部分が前記取付穴の縁部に接触する長さは、前記取付穴の長手方向の一端縁から前記取付穴の中心までの長さｂを長さａだけ越えた長さであることを特徴とする錨脚型保持具。
【請求項５】
請求項３又は４に記載の錨脚型保持具において、前記第２部分は、前記軸柱の横断面において中心部から前記取付穴の長手方向の端縁に接触するように延びるように形成された板状体で成り、該第２部分は前記支柱の長手方向において前記基部から前記支柱の先端まで延びている、ことを特徴とする錨脚型保持具。
【請求項６】
請求項５に記載の錨脚型保持具において、前記一対の係止脚は、前記第２部分の先端から前記基部に向けて延びるように形成されている、ことを特徴とする錨脚型保持具。
【請求項７】
請求項１〜６のいずれか１項に記載の錨脚型保持具において、前記基部には、前記被取付部材の取付穴を抜け出さない大きさのフランジが形成されている、ことを特徴とする錨脚型保持具。
【請求項８】
請求項１〜７のいずれか１項に記載の錨脚型保持具において、前記基部には、ワイヤハーネス等の取付部品を保持する部品保持部が設けられている、ことを特徴とする錨脚型保持具。
【発明の詳細な説明】
【技術分野】
【０００１】
本発明は、錨脚形状の一対の係止脚と基部とによって、取付穴を有する被取付部材に取付けられる、錨脚型保持具に関する。
【背景技術】
【０００２】
錨脚形状の一対の係止脚を被取付部材の取付穴に挿入して係止脚と基部とによって、被取付部材に取付けられる、錨脚型保持具は、例えば、特許文献１〜３に記載されている。特許文献１に記載の錨脚型保持具は、基部と基部から垂下する支柱と支柱の先端側から基部に向けて且つ基部に近づくにつれて支柱から離れるように延びる弾性の一対の係止脚とから成る。錨脚型保持具は、パネル等の被取付部材の取付穴に支柱及び係止脚を挿入して取付穴を貫通した係止脚の先端と基部とによって被取付部材を挟持することで被取付部材に取付けられる。
【０００３】
【特許文献１】実開昭６１−１０４８０９号公報
【特許文献２】実開昭６３−０５９２０８号公報
【特許文献３】特開平７−２０８４１３号公報
【発明の開示】
【発明が解決しようとする課題】
【０００４】
特許文献１に記載の錨脚型保持具は、支柱が取付穴の中で軸心回りに回転するのを防止するため、長穴に形成された取付穴に適合するように、支柱を横断面においてほぼＨ形状に形成し、係止脚をＨ形状の中央の一対の凹部に位置するように形成し、Ｈ形状の両端を取付穴の長手方向の両端縁部に係合する形状に形成している。かかる形状によって、支柱が取付穴の軸心回りに回転するのを防止しているが、その形状が横断面がＨ形状に形成される支柱とそのＨ形状の中央の一対の凹部に位置するように一対の係止脚と必要とするために、その成形型の形状が複雑になり、単純な２面割型等の少数の割型では成形が困難である。従って、錨脚型保持具の成形コストが高くなり、成形時間もかかってしまう。
【０００５】
特許文献２に記載の錨脚型保持具は、支柱が取付穴の中で軸心回りに回転するのを防止するため、先ず、被取付部材の取付穴を径の異なる２つの円弧で成る形状に形成し、この特定の取付穴に適合するように、支柱を矢印形状に形成して支柱が取付穴の軸心回りに回転するのを防止している。この回転防止策は、被取付部材の取付穴の形状を特殊に形成するために、一般的な長穴しか形成されない被取付部材には取付けることができない。
【０００６】
特許文献３に記載の錨脚型保持具においては、支柱の横断面において一方の側面に一対の回り止めリブが形成され、他方の側面に一対の回り止めポイントが形成されて、長穴で成る取付穴内で支柱が軸心回りに回転するのを防止している。この特許文献３の錨脚型保持具の回転防止の構成は、特殊な取付穴形状を必要としない利点がある。しかし、支柱がむく（中実）であるので、錨脚型保持具全体の材料が多く必要とされ、また、軽量化には適していない。
【０００７】
従って、本発明の目的は、比較的簡単に成形でき、被取付部材の取付穴は一般的な長穴でも確実に支柱の回転を防止できる、軽量化に適した錨脚型保持具を提供するにある。
【課題を解決するための手段】
【０００８】
上記目的を達成するため、本発明によれば、基部と基部から垂下する支柱と支柱の先端側から基部に向けて且つ基部に近づくにつれて支柱から離れるように延びる弾性の一対の係止脚とから成り、被取付部材の取付穴に支柱及び係止脚を挿入して取付穴を貫通した係止脚の先端と基部とによって被取付部材を挟持することで被取付部材に取付けられる、錨脚型保持具であって、支柱は、被取付部材に取付けられた状態にあるときに取付穴に対応する部分の横断面が、取付穴の対向する２辺の縁部に所定長さに沿って接触する一対の接触面を形成する第１部分と、第１部分の中央から接触面と反対方向に延びて取付穴の他の縁部に接触するように延びる第２部分とから形成されている、ことを特徴とする錨脚型保持具が提供される。
【０００９】
上記構成の錨脚型保持具によって、錨脚型保持具は比較的簡単に成形でき、被取付部材の取付穴は一般的な長穴であっても確実に支柱の回転を防止でき、支柱をむく（中実）にする必要がなくなるので、軽量化にも適している。
【００１０】
上記の錨脚型保持具において、被取付部材の取付穴がほぼ長方形の長穴に形成され、支柱の第１部分は、長穴の対向する２つの長辺に接触する一対の平行な板状部で成る。この錨脚型保持具において、支柱の第１部分は、一対の平行な板状部と、支柱の横断面においてほぼＵ字形状を形成するように板状部を連結する軸柱とから成り、軸柱は支柱の長手方向において基部から支柱の先端まで延びている。かかる構成によって、支柱はむくでなくなり、軽量化できる。その錨脚型保持具において、軸柱と板状部とから成る第１部分が取付穴の縁部に接触する長さは、取付穴の長手方向の一端縁から取付穴の中心までの長さｂを長さａだけ越えた長さである。これによって、支柱が取付穴の軸心より長さａだけ多く取付穴の縁部に接触するので一層高い回転防止効果を得る。また、第２部分は、軸柱の横断面において中心部から取付穴の長手方向の端縁に接触するように延びるように形成された板状体で成り、その第２部分は支柱の長手方向において基部から支柱の先端まで延びている。この場合、一対の係止脚は、第２部分の先端から基部に向けて延びるように形成されている。
【００１１】
上記錨脚型保持具において、基部には、被取付部材の取付穴を抜け出さない大きさのフランジが形成されている。また、基部には、ワイヤハーネス等の取付部品を保持する部品保持部が設けられている。
【発明を実施するための最良の形態】
【００１２】
以下、本発明の１実施形態に係る錨脚型保持具１について、図面を参照しながら説明する。図１〜図４には、錨脚型保持具１の全体構成が示されている。図５は、図２の錨脚型保持具１のＡ−Ａ線断面図を示している。図示の実施形態に係る錨脚型保持具１は、ワイヤハーネス２を取付部品として保持し、パネル等の被取付部材３（図５参照）の取付穴５を利用して、取付部品を被取付部材に取付ける構成にされている。図示の錨脚型保持具１は説明の例示であり、ワイヤハーネス以外の取付部品をパネル以外の被取付部材に取付けるものであってもよい。図示の錨脚型保持具１では、ワイヤハーネス２がテープ６によって保持される。
【００１３】
図１〜図４を参照して、錨脚型保持具１の全体構成について説明する。錨脚型保持具１は硬質プラスチック等の合成樹脂で一体成形される。図１はワイヤハーネス２をテープで保持した錨脚型保持具１の平面図であり、図２は錨脚型保持具１の正面図であり、図３は錨脚型保持具１の底面図であり、図４は図２の錨脚型保持具１の右側面図である。錨脚型保持具１は、基部７と、基部７から垂下する支柱９と、支柱９の先端側から基部７に向けて且つ基部７に近づくにつれて支柱９から離れるように延びる弾性の一対の係止脚１０とから成り、更に、基部７には、被取付部材３の取付穴５を抜け出さない大きさのフランジ１１が形成されており、基部７には、ワイヤハーネス２を保持する部品保持部１３が設けられている。係止脚１０のそれぞれの先端には、係止爪１４が多段に形成されて、被取付部材３の厚さの変化に対応できるようになっている。フランジ１１は吸盤形状に形成されて被取付部材３の厚さの変化に対応できる弾性と水密性を得るように形成されている。
【００１４】
錨脚型保持具１は、被取付部材３の取付穴５に支柱９及び係止脚１０を挿入して取付穴５を貫通した係止脚１０の先端の係止爪１４と基部７のフランジ１１とによって被取付部材３を挟持する。この挟持によって、錨脚型保持具１は、被取付部材３に取付けられる。図示のように、取付部品としてのワイヤハーネス２が部品保持部１３にテープ６で固定してあれば、錨脚型保持具１によってワイヤハーネス２が被取付部材３に取付けられる。
【００１５】
図５、図２及び図４を参照して、錨脚型保持具１の支柱９及び係止脚１０について説明する。支柱９は、図５に示すように、被取付部材３に取付けられた状態にあるときに取付穴５に対応する部分の横断面が、取付穴５の対向する２辺の縁部１５Ａ及び１５Ｂに所定長さ（ａ＋ｂ）に沿って接触する一対の接触面１７Ａ及び１７Ｂを形成する第１部分１８と、第１部分１８の中央から接触面１７Ａ、１７Ｂと反対方向に延びて取付穴５の他の縁部１９に接触するように延びる第２部分２１とから形成されている。
【００１６】
図示の実施形態において、被取付部材３の取付穴５はほぼ長方形の長穴に形成されている。支柱９の第１部分１８は、長穴の対向する２つの長辺１５Ａ及び１５Ｂに接触する一対の平行な板状部２２Ａ及び２２Ｂで成る。この錨脚型保持具１において、支柱９の第１部分１８は、一対の平行な板状部２２Ａ及び２２Ｂと、支柱９の横断面においてほぼＵ字形状を形成するように板状部２２Ａ及び２２Ｂを連結する軸柱２３とから成る。軸柱２３は、基部７から支柱９の先端まで延びている。この構成によって、支柱９はむく（中実）でなくなり、軽量化できる。錨脚型保持具１において、軸柱２３と板状部２２Ａ、２２Ｂとから成る第１部分１８が取付穴５の縁部１５Ａ、１５Ｂに接触する長さ（ａ＋ｂ）は、取付穴５の長手方向の一端縁２５から取付穴５の中心までの長さｂに長さａだけ越えた長さにされている。これによって、支柱９が取付穴５の軸心より長さａだけ多く取付穴５の縁部１５Ａ又は１５Ｂに接触するので一層高い回転防止効果を得る。図５において、矢印２６Ａ、２６Ｂは、支柱９の回転方向を示している。この回転力に対し、板状部２２Ａ、２２Ｂが取付穴５の縁部１５Ａ、１５Ｂに接触する長さが長さ（ａ＋ｂ）であるので、高い回転阻止力を得ることができる。
【００１７】
また、第２部分２１は、軸柱２３の横断面において中心部から取付穴５の長手方向の端縁１９に接触するように延びるように形成された板状体で成る。この第２部分２１は、支柱９の長手方向において、基部７から支柱９の先端まで延びている。第２部分２１が、基部７から支柱９の先端まで延びる板状体で形成されるので、この部分には取付穴５の縁部１５Ａ及び１５Ｂとの間に空間ができる。一対の係止脚１０は、第２部分２１の先端から基部７に向けて延びるように形成され、取付穴５に係止脚１０が挿入されるときに、取付穴５の縁部１５Ａ及び１５Ｂとの間の空間の中で撓むことができる。
【００１８】
上記構成の錨脚型保持具１は、基部７や係止脚１０が簡単な構成であり、更に、支柱９が第１部分１８と第２部分２１とで成る簡単な構成であるので、例えば、錨脚型保持具１は、少数の割型等で比較的簡単に成形でき、被取付部材の取付穴５は一般的な長穴であっても確実に支柱の回転を防止でき、更に、支柱９をむく（中実）にする必要がなくなるので、軽量化にも適している。
【図面の簡単な説明】
【００１９】
【図１】本発明の１実施形態に係る錨脚型保持具の平面図である。
【図２】図１の錨脚型保持具の正面図である。
【図３】図２の錨脚型保持具の底面図である。
【図４】図２の錨脚型保持具の右側面図である。
【図５】図２の錨脚型保持具のＡ−Ａ線断面図である。
【符号の説明】
【００２０】
１  錨脚型保持具
２  ワイヤハーネス（取付部品）
３  被取付部材
５  取付穴
６  テープ
７  基部
９  支柱
１０  係止脚
１１  フランジ
１３  部品保持部
１４  係止爪
１５Ａ，１５Ｂ  取付穴の２辺の縁部
１７Ａ，１７Ｂ  接触面
１８  第１部分
２１  第２部分
２２Ａ，２２Ｂ  一対の板状部
２３  軸柱
【図１】
2010084793.tif 000003
【図２】
2010084793.tif 000004
【図３】
2010084793.tif 000005
【図４】
2010084793.tif 000006
【図５】
2010084793.tif 000007